(57)【要約】【課題】ハイドロハロオレフィンを含有する冷媒が循環経路に封入された熱搬送装置であって、循環経路に混入した酸素の影響を抑制することができる熱搬送装置及びそれを用いた熱搬送方法を提供する。【解決手段】ハイドロフルオロオレフィン（ＨＦＯ）、ハイドロクロロフルオロオレフィン（ＨＣＦＯ）及びハイドロクロロオレフィン（ＨＣＯ）からなる群から選択される少なくとも一種を含有する冷媒が循環経路に封入された熱搬送装置であって、  前記循環経路に存在する蒸発器と圧縮機との間に酸素吸着器を備える、ことを特徴とする熱搬送装置、並びにそれを用いた熱搬送方法を提供する。【選択図】図１
2018096677.tif 000002
【特許請求の範囲】
【請求項１】
ハイドロフルオロオレフィン（ＨＦＯ）、ハイドロクロロフルオロオレフィン（ＨＣＦＯ）及びハイドロクロロオレフィン（ＨＣＯ）からなる群から選択される少なくとも一種を含有する冷媒が循環経路に封入された熱搬送装置であって、
前記循環経路に存在する蒸発器と圧縮機との間に酸素吸着器を備える、
ことを特徴とする熱搬送装置。
【請求項２】
ハイドロフルオロオレフィン（ＨＦＯ）、ハイドロクロロフルオロオレフィン（ＨＣＦＯ）及びハイドロクロロオレフィン（ＨＣＯ）からなる群から選択される少なくとも一種を含有する冷媒が循環経路に封入された熱搬送装置であって、
前記装置は、前記循環経路中、圧力１．０ＭＰａ以下の領域に酸素吸着器を備える、
ことを特徴とする熱搬送装置。
【請求項３】
前記酸素吸着器は、金属酸化物系酸素吸着材及び有機系（糖系）酸素吸着材の少なくとも一種を含有する、請求項１又は２に記載の熱搬送装置。
【請求項４】
前記循環経路における酸素含有量が０．１体積％以下である、請求項１〜３のいずれかに記載の熱搬送装置。
【請求項５】
前記循環経路には前記冷媒に加えて冷凍機油が含有されており、前記冷媒１００重量部に対する前記冷凍機油の含有量が５重量部以下である、請求項１〜４のいずれかに記載の熱搬送装置。
【請求項６】
前記循環経路における前記酸素吸着器の前後にバルブを備える、請求項１〜５のいずれかに記載の熱搬送装置。
【請求項７】
前記循環経路に存在する圧縮機の前記冷媒を圧縮する圧縮部を駆動するモーターの回転軸を支持する軸受が磁気軸受、セラミック軸受又は空気軸受である、請求項５又は６に記載の熱搬送装置。
【請求項８】
請求項１に記載の熱搬送装置の前記循環経路に前記冷媒を循環させることを特徴とする熱搬送方法。
【請求項９】
請求項２に記載の熱搬送装置の前記循環経路に前記冷媒を循環させることを特徴とする熱搬送方法。
【発明の詳細な説明】
【技術分野】
【０００１】
本発明は、熱搬送装置及びそれを用いた熱搬送方法に関する。
【背景技術】
【０００２】
ＨＦＣ−１２５、ＨＦＣ−３２等のハイドロフルオロカーボン「ＨＦＣ」は、オゾン層を破壊する物質として知られるクロロフルオロカーボン「ＣＦＣ」、ハイドロクロロフルオロカーボン「ＨＣＦＣ」等に替わる重要な代替物質として広く用いられている。このような代替物質として、ＨＦＣ−３２とＨＦＣ−１２５との混合物である「Ｒ−４１０Ａ」や、ＨＦＣ−１２５、ＨＦＣ−１３４ａ及びＨＦＣ−１４３ａの混合物である「Ｒ−４０４Ａ」等が知られている。
【０００３】
上記代替物質は、例えば、熱媒体、冷媒、発泡剤、溶媒、洗浄剤、噴射剤、消火剤等、多岐にわたる用途に利用されており、消費量も多い。一方で、上記物質はいずれもＣＯ２の数千倍の地球温暖化係数（いわゆる「ＧＷＰ」と称される）を有するため、これらの物質の拡散によって地球温暖化におよぼす影響が大きいことが懸念されている。
【０００４】
この地球温暖化対策として、使用後の物質回収が行われているが、すべてを回収できるわけではなく、漏洩による拡散も無視できない。冷媒や熱媒体の用途においては、ＣＯ２や炭化水素系物質による代替も検討されているが、ＣＯ２冷媒は高温雰囲気下での冷凍効率が十分でなく、機器も大型化するため課題が多い。また、炭化水素系物質はその燃焼性の高さから安全性の面で問題が残る。
【０００５】
上記問題を解決する物質として、現在ではＧＷＰの低いハイドロハロオレフィンが注目されている。ハイドロハロオレフィンは、水素、ハロゲン（フッ素、塩素等）を含む不飽和炭化水素の総称であり、例えば、以下の化学式で示される物質が含まれる。なお、化学式の後のカッコ内は、冷媒分野で汎用されている冷媒番号を示す（幾何異性体を含む）。ＣＦ３ＣＦ＝ＣＦ２  （ＨＦＯ−１２１６ｙｃ）
ＣＦ３ＣＦ＝ＣＨＦ  （ＨＦＯ−１２２５ｙｅ）
ＣＦ３ＣＦ＝ＣＨ２  （ＨＦＯ−１２３４ｙｆ）
ＣＦ３ＣＨ＝ＣＨＦ  （ＨＦＯ−１２３４ｚｅ）
ＣＦ３ＣＨ＝ＣＨ２  （ＨＦＯ−１２４３ｚｆ）
ＣＦ３ＣＣｌ＝ＣＨ２  （ＨＣＦＯ−１２３３ｘｆ）
ＣＦ２ＣｌＣＣｌ＝ＣＨ２  （ＨＣＦＯ−１２３２ｘｆ）
ＣＦ３ＣＨ＝ＣＨＣｌ  （ＨＣＦＯ−１２３３ｚｄ）
ＣＦ３ＣＣｌ＝ＣＨＣｌ  （ＨＣＦＯ−１２２３ｘｄ）
ＣＣｌＦ２ＣＣｌ＝ＣＨＣｌ  （ＨＣＦＯ−１２２２ｘｄ）
ＣＦＣｌ２ＣＣｌ＝ＣＨ２  （ＨＣＦＯ−１２３１ｘｆ）
ＣＨ２ＣｌＣＣｌ＝ＣＣｌ２  （ＨＣＯ−１２３０ｘａ）
これらの中でも特にフルオロプロペンは、低ＧＷＰの冷媒、熱媒体の候補として有望な物質であるが、時間の経過などにより徐々に分解が生じることがあり、安定性が高い物質であるとはいえない。そのため、このような物質を種々の用途に使用するにあたっては、その使用状況又は使用環境によって性能が徐々に低下する等の問題がある。そして、このような性能の低下は、冷媒に空気（酸素）が混入した場合に特に問題となる。
【０００６】
一般に、モバイルエアコンのように工場で冷媒が充填される装置であれば、施工管理がなされているため空気（酸素）の混入の可能性はほとんどない。しかしながら、定置式空調機などの装置は、設置現場での冷媒充填施工が必要である。冷媒充填施工は、施工業者の管理能力に委ねられており、これまでも冷凍能力低下などの不具合やトラブルの主原因として空気（酸素）の混入が考えられている。
【０００７】
また、従来の低圧冷媒ＨＣＦＣ−１２３を用いた圧縮機システム（ターボ冷凍機）の運転制御方法では、系内が負圧になるために冷凍システムの運転中に外部から空気が系内に混入するリスクがあったが、ＨＣＦＣをハイドロハロオレフィンに換えた場合でも同様のリスクがあると考えられる。
【０００８】
更に、近年では、圧縮機において冷媒を圧縮する圧縮部を駆動するモーターの回転軸を支持する軸受として磁気軸受、セラミック軸受又は空気軸受を採用することにより、冷媒１００重量部に対する冷凍機油の使用量を５重量部以下に制限したいわゆるオイルフリーの装置も開発されている。これによれば、冷凍機油の交換などに関連するコスト及びメンテナンスの負荷を軽減できるほか、冷凍機油に溶けた冷媒の大気への放出も回避できる。しかしながら、冷凍機油に起因する影響は低減できるが、冷媒に空気（酸素）が混入した場合にハイドロハロオレフィンが徐々に分解するおそれはある。
【０００９】
従来のＨＦＣ及びＨＣＦＣ冷媒では、このような不具合が発生した場合は、冷媒の入れ替えのみで対応可能であったが、ハイドロハロオレフィンを含む冷媒の場合には冷媒の酸化分解により酸を生成する可能性があるため、装置の金属腐食が生じるおそれがあり、それに伴い機器の交換の必要も考えられる。
【先行技術文献】
【特許文献】
【００１０】
【特許文献１】ＷＯ２００８−２７５１１号パンフレット
【発明の概要】
【発明が解決しようとする課題】
【００１１】
本発明は、ハイドロハロオレフィンを含有する冷媒が循環経路に封入された熱搬送装置であって、循環経路に混入した酸素の影響を抑制することができる熱搬送装置及びそれを用いた熱搬送方法を提供することを目的とする。
【課題を解決するための手段】
【００１２】
本発明者らは、上記目的を達成すべく鋭意研究を重ねた結果、冷媒の循環経路における特定領域に酸素吸着器を備えた熱搬送装置によれば、上記目的を達成できることを見出し、本発明を完成するに至った。
【００１３】
即ち、本発明は、下記の熱搬送装置及びそれを用いた熱搬送方法に関する。
１．ハイドロフルオロオレフィン（ＨＦＯ）、ハイドロクロロフルオロオレフィン（ＨＣＦＯ）及びハイドロクロロオレフィン（ＨＣＯ）からなる群から選択される少なくとも一種を含有する冷媒が循環経路に封入された熱搬送装置であって、
前記循環経路に存在する蒸発器と圧縮機との間に酸素吸着器を備える、
ことを特徴とする熱搬送装置。
２．ハイドロフルオロオレフィン（ＨＦＯ）、ハイドロクロロフルオロオレフィン（ＨＣＦＯ）及びハイドロクロロオレフィン（ＨＣＯ）からなる群から選択される少なくとも一種を含有する冷媒が循環経路に封入された熱搬送装置であって、
前記装置は、前記循環経路中、圧力１．０ＭＰａ以下の領域に酸素吸着器を備える、
ことを特徴とする熱搬送装置。
３．前記酸素吸着器は、金属酸化物系酸素吸着材及び有機系（糖系）酸素吸着材の少なくとも一種を含有する、上記項１又は２に記載の熱搬送装置。
４．前記循環経路における酸素含有量が０．１体積％以下である、上記項１〜３のいずれかに記載の熱搬送装置。
５．前記循環経路には前記冷媒に加えて冷凍機油が含有されており、前記冷媒１００重量部に対する前記冷凍機油の含有量が５重量部以下である、上記項１〜４のいずれかに記載の熱搬送装置。
６．前記循環経路における前記酸素吸着器の前後にバルブを備える、上記項１〜５のいずれかに記載の熱搬送装置。
７．前記循環経路に存在する圧縮機の前記冷媒を圧縮する圧縮部を駆動するモーターの回転軸を支持する軸受が磁気軸受、セラミック軸受又は空気軸受である、上記項５又は６に記載の熱搬送装置。
８．上記項１に記載の熱搬送装置の前記循環経路に前記冷媒を循環させることを特徴とする熱搬送方法。
９．上記項２に記載の熱搬送装置の前記循環経路に前記冷媒を循環させることを特徴とする熱搬送方法。
【発明の効果】
【００１４】
本発明の熱搬送装置及びそれを用いた熱搬送方法は、冷媒の循環経路における特定領域に酸素吸着器を備えた熱搬送装置を用いることにより、循環経路に混入した酸素を酸素吸着器で除去することができるため、冷媒に対する酸素の影響を抑制することができる。
【図面の簡単な説明】
【００１５】
【図１】本発明の熱搬送装置（特に図１は空気調和装置を示す）における冷媒の循環経路の一態様を示す図である。
【図２】本発明の熱搬送装置（特に図２はターボ冷凍機を示す）における冷媒の循環経路の一態様を示す図である。
【発明を実施するための形態】
【００１６】
本発明の熱搬送装置
本発明の熱搬送装置は、ハイドロハロオレフィンの中でも、特にハイドロフルオロオレフィン（以下「ＨＦＯ」ともいう）、ハイドロクロロフルオロオレフィン（以下「ＨＣＦＯ」ともいう）及びハイドロクロロオレフィン（以下「ＨＣＯ」ともいう）からなる群から選択される少なくとも一種を含有する冷媒が循環経路に封入された熱搬送装置であって、大別すると下記実施形態１及び実施形態２の二種類に分けることができる。
【００１７】
（実施形態１）ハイドロフルオロオレフィン（ＨＦＯ）、ハイドロクロロフルオロオレフィン（ＨＣＦＯ）及びハイドロクロロオレフィン（ＨＣＯ）からなる群から選択される少なくとも一種を含有する冷媒が循環経路に封入された熱搬送装置であって、
前記循環経路に存在する蒸発器と圧縮機との間に酸素吸着器を備える、
ことを特徴とする熱搬送装置。
【００１８】
（実施形態２）ハイドロフルオロオレフィン（ＨＦＯ）、ハイドロクロロフルオロオレフィン（ＨＣＦＯ）及びハイドロクロロオレフィン（ＨＣＯ）からなる群から選択される少なくとも一種を含有する冷媒が循環経路に封入された熱搬送装置であって、
前記装置は、前記循環経路中、圧力１．０ＭＰａ以下の領域に酸素吸着器を備える、
ことを特徴とする熱搬送装置。
【００１９】
以下、実施形態１及び２に分けて説明する。
【００２０】
≪実施形態１の熱搬送装置≫
実施形態１の熱搬送装置は、ＨＦＯ、ＨＣＦＯ及びＨＣＯからなる群から選択される少なくとも一種を含有する冷媒が循環経路に封入された熱搬送装置であって、
前記循環経路に存在する蒸発器と圧縮機との間に酸素吸着器を備える、
ことを特徴とする。
【００２１】
冷媒としては、ＨＦＯ、ＨＣＦＯ及びＨＣＯからなる群から選択される少なくとも一種を含有すればよく、ＨＦＯとしては、例えば、２，３，３，３−テトラフルオロプロペン（ＨＦＯ−１２３４ｙｆ）、１，３，３，３−テトラフルオロプロペン（ＨＦＯ−１２３４ｚｅ）、１，２，３，３−テトラフルオロプロペン（ＨＦＯ−１２３４ｙｅ）、１，１，２，３−テトラフルオロプロペン（ＨＦＯ−１２３４ｙｃ）、１，２，３，３，３−ペンタフルオロプロペン（ＨＦＯ−１２２５ｙｅ）、１，１，３，３，３−ペンタフルオロプロペン（ＨＦＯ−１２２５ｚｃ）、３，３，３−トリフルオロプロペン（ＨＦＯ−１２４３ｚｆ）、１，１，１，４，４，４−ヘキサフルオロ−２−ブテン（ＨＦＯ−１３３６ｍｚｚ）、１，１，１，２，４，４，５，５，５−ノナフルオロペンテン（ＨＦＯ−１４２９ｍｙｚ）等が挙げられる。
【００２２】
ＨＣＦＯとしては、例えば、２−クロロ−３，３，３−トリフルオロプロペン（ＨＣＦＯ−１２３３ｘｆ）、２，３−ジクロロ−３，３−ジフルオロプロペン（ＨＣＦＯ−１２３２ｘｆ）、１−クロロ−３，３，３−トリフルオロプロペン（ＨＣＦＯ−１２３３ｚｄ）、２−クロロ−３，３，３−トリフルオロプロペン（ＨＣＦＯ−１２３３ｘｆ）、２，３−ジクロロ−３，３−ジフルオロプロペン（ＨＣＦＯ−１２３２ｘｆ）、１，２−ジクロロ−３，３，３−トリフルオロプロペン（ＨＣＦＯ−１２２３ｘｄ）、１，２，３−トリクロロ−３，３−ジフロロプロペン（ＨＣＦＯ−１２２２ｘｄ）、２，３，３−トリクロロ−３−フルオロプロペン（ＨＣＦＯ−１２３１ｘｆ）等が挙げられる。
【００２３】
ＨＣＯとしては、例えば、１，３，３，３−テトラクロロプロペン（ＨＣＯ−１２３０ｚｄ）、１，１，２，３−テトラクロロプロペン（ＨＣＯ−１２３０ｘａ）、１，１，３，３−テトラクロロプロペン（ＨＣＯ−１２３０ｚａ）、２，３，３，３−テトラクロロプロペン（ＨＣＯ−１２３０ｘｆ）等が挙げられる。
【００２４】
これらのＨＦＯ、ＨＣＦＯ及びＨＣＯは、それぞれ単独で又は二種以上を混合して使用できる。また、ＨＦＯ、ＨＣＦＣ及びＨＣＯ以外に他の冷媒を混合することも可能であり、その場合には、冷媒混合物中のＨＦＯ、ＨＣＦＯ及びＨＣＯの総量が５０重量％以上となるように設定することが好ましい。
【００２５】
他の冷媒としては、例えば、ＨＦＣ−３２、ＨＦＣ−４１、ＨＦＣ−１２５、ＨＦＣ−１３４、ＨＦＣ−１４３、ＨＦＣ−１５２、ＨＦＣ−２２７、ＨＦＣー２３６、ＨＦＣ２４５、ＨＦＣ−３３８、ＨＦＣ−３４７、ＨＦＣ−３５６、ＨＦＣ−３６５、ＨＦＣ−４４９、ＨＦＣ−４３-１０、ＨＦＥ−１２５、ＨＦＥ−１３４、ＨＦＥ−１４３、ＨＦＥ−１５２、ＨＦＥ−２３６、ＨＦＥ−２４５、ＨＦＥ−２５４、ＨＦＥ−３３８、ＨＦＥ−３４７、ＨＦＥ−３５６、ＨＦＥ−３６５、ＨＦＥ−４４９等が挙げられる。また、異性体を有するものについては異性体も含まれる。更には、炭素数１〜５の炭化水素（異性体を有するものについては異性体も含まれる）、ＣＯ２等も挙げられる。これらの他の冷媒は１種又は２種以上を含んでもよい。
【００２６】
上記、ＨＦＯ、ＨＣＦＯ及びＨＣＯからなる群から選択される少なくとも一種と他の冷媒との混合物としては、Ｒ−４４４Ａ、Ｒ−４４４Ｂ、Ｒ−４４５Ａ、Ｒ−４４６Ａ、Ｒ−４４７Ａ、Ｒ−４４８Ａ、Ｒ−４４９Ａ、Ｒ−４４９Ｂ、−４５０Ａ、−４５１ａ、Ｒ−４５１Ｂ、Ｒ−４５２Ａ、Ｒ−４５４Ａ、Ｒ−４５４Ｂ、Ｒ−４５５Ａ、Ｒ−５１３Ａ、Ｒ−５１３Ｂ等が挙げられる。
【００２７】
なお、本発明では、循環経路に封入された冷媒（又は冷媒混合物）は、ＨＦＯ、ＨＣＦＯ及びＨＣＯからなる群から選択される少なくとも一種のみから構成されていてもよい。
【００２８】
本発明の熱搬送装置は、上記ＨＦＯ、ＨＣＦＯ及びＨＣＯの少なくとも一種を含有する冷媒（冷媒混合物の場合も以下「冷媒」と略記する）が装置内の冷媒の循環経路に封入されており、循環経路に配置されている各機器を通過することによって熱搬送を行う。
【００２９】
本発明の熱搬送装置は、その用途は限定的ではなく、例えば、空気調和装置（モバイルエアコン、家庭用エアコン、業務用エアコン）冷凍機、冷蔵庫、冷却機（チラー）、コンテナ用冷凍装置、給湯器等の熱搬送に関連する機器が広く挙げられる。以下では、本発明の熱搬送装置の具体例として、上記圧縮式熱搬送装置の一つである空気調和装置（図１参照）及びターボ冷凍機（図２参照）について例を挙げて説明する。
【００３０】
図１は、本発明の熱搬送装置（下記説明では空気調和装置）における冷媒の循環経路の一態様を示す図である。空気調和装置１は、主として、圧縮機２と、四方切替弁３と、室外熱交換器４と、膨張機構５と、室内熱交換器６とから構成される。図１において、実線の矢印は、冷房運転時における冷媒の循環方向を表し、点線の矢印は、暖房運転時における冷媒の循環方向を表す。冷媒の循環方向は、圧縮機２から吐出された冷媒を四方切替弁３の操作により、室外熱交換器４又は室内熱交換機６のいずれかの方向に選択することにより制御することができる。
【００３１】
冷房運転時における空気調和装置１の冷凍サイクルについて説明する。最初に、圧縮機２は、低圧のガス冷媒を圧縮して、高圧のガス冷媒を吐出する。圧縮機２から吐出された冷媒は、四方切替弁３を通過して、室外熱交換器４に供給される。室外熱交換器４は、高圧のガス冷媒を凝縮して、高圧の液冷媒を吐出する。室外熱交換器４から吐出された冷媒は、膨張機構５の膨張弁を通過して低圧の気液混合状態の冷媒となり、室内熱交換器６に供給される。室内熱交換器６は、低圧の気液混合状態の冷媒を蒸発させて、低圧のガス冷媒を吐出する。室内熱交換器６から吐出された低圧のガス冷媒は、圧縮機２に供給される。この冷凍サイクルにより、室内を冷房運転することができる。
【００３２】
冷房運転時は、室外熱交換器４は凝縮器として機能し、室内熱交換器６は蒸発器として機能する。即ち、室内熱交換器６で発生する冷媒の蒸発潜熱によって室内が冷却される。一方、暖房運転時は、四方切替弁３を切り換えることで、室外熱交換器４は蒸発器として機能し、室内熱交換器６は凝縮器として機能する。即ち、室外熱交換器４で発生する冷媒の凝縮潜熱によって、室内が加熱される。
【００３３】
図２は、本発明の熱搬送装置（下記説明ではターボ冷凍機）における冷媒の循環経路の一態様を示す図である。ターボ冷凍機１’は、主として、圧縮機２’と、凝縮器４’と、膨張機構５’と、蒸発器６’とから構成される。
【００３４】
図２において、実線の矢印は、冷媒の循環方向を表す。この冷凍サイクルでは、圧縮機２’は、低圧のガス冷媒を圧縮して、高圧のガス冷媒を吐出する。圧縮機２’から吐出された冷媒は、凝縮器４’に供給される。凝縮器４’は、高圧のガス冷媒を凝縮して、高圧の液冷媒を吐出する。凝縮器４’から吐出された冷媒は、膨張機構５’の膨張弁を通過して低圧の気液混合状態の冷媒となり、蒸発器６’に供給される。蒸発器６’は、低圧の気液混合状態の冷媒を蒸発させて、低圧のガス冷媒を吐出する。蒸発器６’から吐出された低圧のガス冷媒は、圧縮機２’に供給される。この冷凍サイクルでは、蒸発器６’の機能により得られる冷水から作られる冷風が、大規模空間の冷房に用いられる。
【００３５】
本発明の熱搬送装置は、冷媒の循環経路に存在する蒸発器と圧縮機との間に酸素吸着器を備える。図１では、冷房運転時は、室外熱交換器４は凝縮器として機能し、室内熱交換器６は蒸発器として機能するため、蒸発器６と圧縮機２との間に酸素吸着器７が備えられる。一方、暖房運転時は、室外熱交換器４は蒸発器として機能し、室内熱交換器６は凝縮器として機能するため、蒸発器４と圧縮機２との間に酸素吸着器８が備えられる。冷房運転時及び暖房運転時のいずれにおいても蒸発器と圧縮機との間は低圧のガス冷媒が存在しているためガス冷媒が酸素吸着器を通過することによりガス冷媒から酸素が除去される。他方、図２では、蒸発器６’と圧縮機２’との間に酸素吸着器７’が備えられる。
【００３６】
なお、本発明の熱搬送装置は、酸素吸着器の前後にバルブ（図示せず）を設け、酸素吸着器を循環経路に対して着脱自在とすることで、酸素吸着器内の酸素を吸着した酸素吸着材の除去、交換等を容易に行うことができる。「バルブ」は、循環経路において酸素吸着器に対する冷媒の流出入を制御可能に設けられるものであればよく、手動、電動を問わない。また、例えば手動又は電動の弁も含むものである。
【００３７】
酸素吸着器は、その内部に酸素吸着材が充填されており、ガス冷媒とともに酸素が酸素吸着器を通過する際に酸素を選択的に吸着（吸収）してガス冷媒から除去される。かかる酸素吸着材としては、酸素を選択的に吸着できる材料であればよく、例えば、金属酸化物系酸素吸着材、有機系（糖系）酸素吸着材等が挙げられる。これらの酸素吸着材は、１種又は２種以上を混合して使用できるが、酸素の吸着速度が速い観点では金属酸化物系酸素吸着材が好ましい。酸素吸着材の形状はガス冷媒を透過できればよく、粉末、ペレット等の形状が挙げられる。また、酸素吸着材を付着又は含浸させたフィルム状やフィルター状の形態でも使用できる。本発明では、これらの酸素吸着材が充填された酸素吸着器を有することにより、循環経路における酸素含有量を好ましくは０．１体積％以下に維持でき、それによりＨＦＯ、ＨＣＦＯ及びＨＣＯの少なくとも一種を含有する冷媒の酸素に起因する経時的な分解を抑制することができる。
【００３８】
上記金属酸化物系酸素吸着材は、酸化反応（発熱）により酸素を吸着する吸着材であり、本発明では、酸素を選択的に吸着する観点から、例えば、金属（Ｆｅ及び／又はＣｅ）酸化物系酸素吸着材が好適に使用できる。この金属酸化物系酸素吸着材としては、従来公知のものを幅広く利用することができる。
【００３９】
上記有機系（糖系）酸素吸着材は、酸化反応（ＣＯ２放出）により酸素をガス冷媒から除去する吸着材である。この有機系（糖系）酸素吸着材としては、従来公知のものを幅広く利用することができる。
【００４０】
本発明で用いる酸素吸着器は、上記酸素吸着材を充填する専用の部材であってもよく、公知の熱搬送装置において冷媒の循環経路に設置される乾燥器（いわゆるドライヤー）を兼用する形で酸素吸着器としてもよい。この場合には、乾燥器内に乾燥材とともに酸素吸着材を充填することにより、ガス冷媒に混入した水分及び酸素を同時に除去する部材として用いることができる。
【００４１】
本発明の熱搬送装置は、圧縮機において冷媒を圧縮する圧縮部を駆動するモーターの回転軸を支持する軸受として磁気軸受、セラミック軸受又は空気軸受を採用することにより、冷媒１００重量部に対する冷凍機油の使用量を５重量部以下に制限したいわゆるオイルフリーの熱搬送装置であってもよい。上記の軸受を使用する場合には、軸受の潤滑性を向上させるために冷媒に加えて冷凍機油を併用する必要がなく、実質的に冷凍機油の含有量を０重量部にすることができるが、熱搬送装置を組み立てる際の油分（グリース等）の混入を考慮すると５重量部以下が好ましい。
【００４２】
≪実施形態２の熱搬送装置≫
実施形態２の熱搬送装置は、ハイドロフルオロオレフィン（ＨＦＯ）、ハイドロクロロフルオロオレフィン（ＨＣＦＯ）及びハイドロクロロオレフィン（ＨＣＯ）の少なくとも一種を含有する冷媒が循環経路に封入された熱搬送装置であって、
前記装置は、前記循環経路中、圧力１．０ＭＰａ以下の領域に酸素吸着器を備える、
ことを特徴とする。
【００４３】
実施形態２の熱搬送装置は、冷媒の循環経路において圧力１．０ＭＰａ以下の低圧領域に酸素吸着器を備える点以外は特に限定されず、その他は実施形態１の熱搬送装置と同じ構成とすることができる。冷媒の循環経路において、圧力１．０ＭＰａ以下の低圧領域は他の領域（圧力１．０ＭＰａ超過の領域）と比べて外気を吸い込むリスクが高まり、循環経路に酸素が入り込み易いおそれがある。そのため、かかる低圧領域に酸素吸着器を設けることにより酸素混入による影響を効率的に回避できる利点がある。なお、冷媒回路全体における最大圧力は限定されないが、通常３．０ＭＰａ程度である。
【００４４】
実施形態２の熱搬送装置は、冷媒の循環経路に酸素吸着器を備えており、その備える場所については圧力１．０ＭＰａ以下の低圧領域である限り限定されないが、冷媒及び酸素がガス状態で存在する場所であれば効率的に酸素を吸着することができるため、実施形態１の熱搬送装置の場合と同様に、蒸発器と圧縮機との間で且つ圧力１．０ＭＰａ以下の低圧領域に酸素吸着器を備える態様が好ましい。実施形態２においても、酸素吸着材が充填された酸素吸着器を有することにより、循環経路における酸素含有量を好ましくは０．１体積％以下に維持でき、それによりＨＦＯ、ＨＣＦＯ及びＨＣＯの少なくとも一種を含有する冷媒の酸素に起因する経時的な分解を抑制することができる。
【００４５】
本発明の熱搬送方法
本発明の熱搬送装置における冷媒の循環経路に冷媒を循環させることにより、本発明の熱搬送方法を実施することができる。冷媒の循環については、具体的には、空気調和装置（図１参照）及びターボ冷凍機（図２参照）について例を挙げて前述した通りである。
【符号の説明】
【００４６】
１．熱搬送装置（図１では空気調和装置）
２．圧縮機
３．四方切替弁
４．室外熱交換器（冷房運転時の凝縮器、暖房運転時の蒸発器）
５．膨張機構
６．室内熱交換機（冷房運転時の蒸発器、暖房運転時の凝縮器）
７．酸素吸着器（冷房運転時）
８．酸素吸着器（暖房運転時）
１’．熱搬送装置（図２ではターボ冷凍機）
２’．圧縮機
４’．凝縮器
５’．膨張機構
６’．蒸発器
７’．酸素吸着器
【図１】
2018096677.tif 000003
【図２】
2018096677.tif 000004
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
ハイドロクロロフルオロオレフィン（ＨＣＦＯ）を含有する冷媒が循環経路に封入された熱搬送装置であって、
前記熱搬送装置は、チラーで且つターボ冷凍機であり、
前記装置は、前記循環経路中、蒸発器と圧縮機との間で且つ圧力１．０ＭＰａ以下の領域に酸素吸着器を備える、
ことを特徴とする熱搬送装置。
【請求項２】
前記酸素吸着器は、金属酸化物系酸素吸着材及び有機系（糖系）酸素吸着材の少なくとも一種を含有する、請求項１に記載の熱搬送装置。
【請求項３】
前記酸素吸着器は、前記循環経路の主回路において、前記主回路に存在する前記蒸発器と前記圧縮機との間で且つ圧力１．０ＭＰａ以下の領域に備えられている、請求項１又は２に記載の熱搬送装置。
【請求項４】
前記循環経路における酸素含有量が０．１体積％以下である、請求項１〜３のいずれかに記載の熱搬送装置。
【請求項５】
前記循環経路には前記冷媒に加えて冷凍機油が含有されており、前記冷媒１００重量部に対する前記冷凍機油の含有量が５重量部以下である、請求項１〜４のいずれかに記載の熱搬送装置。
【請求項６】
前記循環経路における前記酸素吸着器の前後にバルブを備える、請求項１〜５のいずれかに記載の熱搬送装置。
【請求項７】
前記循環経路に存在する圧縮機の前記冷媒を圧縮する圧縮部を駆動するモーターの回転軸を支持する軸受が磁気軸受、セラミック軸受又は空気軸受である、請求項５又は６に記載の熱搬送装置。
【請求項８】
請求項１に記載の熱搬送装置の前記循環経路に前記冷媒を循環させることを特徴とする熱搬送方法。
【手続補正２】
【補正対象書類名】明細書
【補正対象項目名】００１３
【補正方法】変更
【補正の内容】
【００１３】
即ち、本発明は、下記の熱搬送装置及びそれを用いた熱搬送方法に関する。
１．ハイドロクロロフルオロオレフィン（ＨＣＦＯ）を含有する冷媒が循環経路に封入された熱搬送装置であって、
前記熱搬送装置は、チラーで且つターボ冷凍機であり、
前記装置は、前記循環経路中、蒸発器と圧縮機との間で且つ圧力１．０ＭＰａ以下の領域に酸素吸着器を備える、
ことを特徴とする熱搬送装置。
２．前記酸素吸着器は、金属酸化物系酸素吸着材及び有機系（糖系）酸素吸着材の少なくとも一種を含有する、上記項１に記載の熱搬送装置。
３．前記酸素吸着器は、前記循環経路の主回路において、前記主回路に存在する前記蒸発器と前記圧縮機との間で且つ圧力１．０ＭＰａ以下の領域に備えられている、上記項１又は２に記載の熱搬送装置。
４．前記循環経路における酸素含有量が０．１体積％以下である、上記項１〜３のいずれかに記載の熱搬送装置。
５．前記循環経路には前記冷媒に加えて冷凍機油が含有されており、前記冷媒１００重量部に対する前記冷凍機油の含有量が５重量部以下である、上記項１〜４のいずれかに記載の熱搬送装置。
６．前記循環経路における前記酸素吸着器の前後にバルブを備える、上記項１〜５のいずれかに記載の熱搬送装置。
７．前記循環経路に存在する圧縮機の前記冷媒を圧縮する圧縮部を駆動するモーターの回転軸を支持する軸受が磁気軸受、セラミック軸受又は空気軸受である、上記項５又は６に記載の熱搬送装置。
８．上記項１に記載の熱搬送装置の前記循環経路に前記冷媒を循環させることを特徴とする熱搬送方法。